(57)【要約】【課題】より簡素な構成により、安価に、薬剤容器に収容されている薬剤の使用量等を検出することが可能な薬剤使用状態検出装置を提供することにある。【解決手段】薬剤容器における薬剤の使用操作の回数を検出する回数検出スイッチ４Ａと、薬剤の残量を検出する残量検出スイッチ５Ａと、検出された回数を示す操作回数データと、検出された残量を示す残量フラグと、を設定等する処理部１Ａと、を備える。【選択図】図３
2020026984.tif 000002
【特許請求の範囲】
【請求項１】
薬剤容器における薬剤の使用操作の回数を検出する回数検出手段と、
前記薬剤の残量を検出する残量検出手段と、
前記検出された回数を示す回数データと、前記検出された残量を示す残量データと、を外部に出力する出力手段と、
を備えることを特徴とする薬剤使用状態検出装置。
【請求項２】
請求項１に記載の薬剤使用状態検出装置において、
前記回数データ及び前記残量データの前記外部への出力間隔を制御する間隔制御手段を更に備えることを特徴とする薬剤使用状態検出装置。
【請求項３】
請求項１又は請求項２に記載の薬剤使用状態検出装置において、
前記回数検出手段は、
一回の前記使用操作ごとに、当該使用操作による押圧によりオンとされるスイッチ手段と、
前記スイッチ手段がオンとなった回数を計数して前記回数データを出力する計数手段と、
が前記残量検出手段とは別個に設けられて構成されていることを特徴とする薬剤使用状態検出装置。
【請求項４】
請求項１又は請求項２に記載の薬剤使用状態検出装置において、
前記残量検出手段は、
薬剤を収容する前記薬剤容器が天面に載置され、且つ鉛直方向上向きに付勢される載置台の位置が前記薬剤容器の重量により鉛直方向下向きに下がったときに前記載置台の底面により押圧されてオンとなる第１スイッチ手段と、
前記第１スイッチ手段の鉛直方向の位置を規制する規制手段と、
前記第１スイッチ手段がオンからオフに変わったときに前記残量が予め設定された前記薬剤の残量となった旨の前記残量データを生成する残量データ生成手段と、
を備え、
前記規制手段により規制される前記第１スイッチ手段の鉛直方向の位置が、前記予め設定された薬剤の残量に対応した位置とされており、
前記回数検出手段は、
前記第１スイッチ手段の下方に設けられ、前記使用操作により前記載置台及び前記第１スイッチ手段が鉛直方向下向きに下がったときに押圧されてオンとなる第２スイッチ手段と、
前記第２スイッチ手段がオンとなった回数を計数して前記回数データを出力する計数手段と、
を備えることを特徴とする薬剤使用状態検出装置。
【請求項５】
請求項１又は請求項２に記載の薬剤使用状態検出装置において、
前記残量検出手段は、
鉛直方向下向きに配置された第１スイッチ手段であって、薬剤を収容する前記薬剤容器が天面に載置され且つ鉛直方向上向きに付勢される載置台の底面に設けられた押圧部材が鉛直方向上向きに上がったときに当該押圧部材により押圧されてオンとなる第１スイッチ手段と、
前記第１スイッチ手段がオンとなったときに前記残量が予め設定された前記薬剤の残量となった旨の前記残量データを生成する残量データ生成手段と、
を備え、
前記回数検出手段は、
前記第１スイッチ手段の上方に設けられ、前記使用操作により前記載置台が鉛直方向下向きに下がったときに押圧されてオンとなる第２スイッチ手段と、
前記第２スイッチ手段がオンとなった回数を計数して前記回数データを出力する計数手段と、
を備えることを特徴とする薬剤使用状態検出装置。
【請求項６】
請求項１又は請求項２に記載の薬剤使用状態検出装置において、
前記残量検出手段は、
薬剤を収容する前記薬剤容器が天面に載置され且つ鉛直方向上向きに付勢される載置台の下方に配置され、当該載置台の底面までの距離を検出する距離検出手段と、
前記検出された距離が予め設定された距離となったとき、前記薬剤が予め設定された残量となった旨の前記残量データを生成する残量データ生成手段と、
を備え、
前記回数検出手段は、
前記使用操作により前記載置台が鉛直方向下向きに下がったときに押圧されてオンとなるスイッチ手段と、
前記スイッチ手段がオンとなった回数を計数して前記回数データを出力する計数手段と、
を備えることを特徴とする薬剤使用状態検出装置。
【請求項７】
請求項３から請求項６のいずれか一項に記載の薬剤使用状態検出装置において、
前記計数手段は、前記回数を累積して記憶する記憶手段を備えることを特徴とする薬剤使用状態検出装置。
【請求項８】
請求項３から請求項７のいずれか一項に記載の薬剤使用状態検出装置において、
前記載置台の鉛直方向の摺動をガイドするガイド部材を備えることを特徴とする薬剤使用状態検出装置。
【請求項９】
請求項３から請求項８のいずれか一項に記載の薬剤使用状態検出装置において、
前記載置台の摺動範囲の鉛直方向下限を規制する規制部材を備えることを特徴とする薬剤使用状態検出装置。
【発明の詳細な説明】
【技術分野】
【０００１】
本願は、薬剤使用状態検出装置の技術分野に属する。より詳細には、薬剤容器における薬剤の使用状態を検出する薬剤使用状態検出装置の技術分野に属する。
【背景技術】
【０００２】
近年、総合病院等の医療機関では、いわゆる院内感染の拡大を防止すべく、消毒薬による手指の消毒作業が推奨されている。また、実際に消毒作業が行われていたか否かについても、各医療機関において管理／監督することが求められている場合もある。
【０００３】
ここで、当該医療機関の従事者が手指の消毒を確実に行っているかの確認は、一般的には、その消毒に用いられる消毒薬の使用量から判定される場合が多い。そして、医療機関における当該使用料の管理としては、従来、全ての薬剤容器又は薬液ボトルにおける消毒薬の残量等の確認→医療機関全体での確認結果の集計→使用状態の判定→医療従事者（現場）へのフィードバック、という一連の流れが全て手作業で行われているのが実情であり、人的な手間が過大となっているという問題点があった。
【０００４】
そこで従来、各薬剤容器における消毒薬の使用量を自動的に検出し、その検出結果を無線又は有線により一箇所に集約させてその使用状態を確認する試みが行われている。このような試みの一つとして下記特許文献１及び下記特許文献２に開示されている技術がある。この特許文献１に記載されている技術では、各薬剤容器それぞれの位置に監視装置を設置し、当該位置に人の手等が接近したことを当該監視装置により非接触で検出し、その検出結果を監視装置からデータ照合サーバに集約して使用状態の管理等に用いる構成とされている。また下記特許文献２では、誤った薬剤が使用されることと防止すべく、薬剤に関する属性データを光学的に読み取って表示する構成とされている。
【先行技術文献】
【特許文献】
【０００５】
【特許文献１】特許第６２４３９２８号公報
【特許文献２】特表２０１４−５３０７４７号公報
【発明の概要】
【発明が解決しようとする課題】
【０００６】
しかしながら、上記特許文献１に記載されている技術の場合、人の手等の接近を検出する仕組みとして非接触型を用いることとされている。また上記特許文献２に記載されている技術の場合、スイッチにより分注容器の作動回数をカウントし、分注容器が設置される基部のディスプレイ上に作動回数を表示することが開示されている。いずれの特許文献に開示されている技術でも全体として製造コストや維持コストが高価になるという問題点があった。
【０００７】
そこで本願は、上記の問題点に鑑みて為されたもので、その課題の一例は、より簡素な構成により、薬剤容器に収容されている薬剤の使用量等の検出を行い、人的な手間を低減することが可能な薬剤使用状態検出装置を提供することにある。
【課題を解決するための手段】
【０００８】
上記の課題を解決するために、請求項１に記載の発明は、薬剤容器における薬剤の使用操作の回数を検出する回数検出手段と、前記薬剤の残量を検出する残量検出手段と、前記検出された回数を示す回数データと、前記検出された残量を示す残量データと、を外部に出力する出力手段と、を備える。
【図面の簡単な説明】
【０００９】
【図１】実施形態に係る薬剤使用状態検出装置の概要構成を示すブロック図である。
【図２】実施例に係る情報処理システムの概要構成を示すブロック図である。
【図３】実施例に係る情報処理システムに含まれるセンサユニットの概要構成を示すブロック図等であり、（ａ）は当該ブロック図であり、（ｂ）はセンサユニットから送信される操作回数データのデータ構造を例示する図であり、（ｃ）はセンサユニットのメモリの記憶内容を例示する図である。
【図４】実施例に係る情報処理システムに含まれるサーバ装置の概要構成を示すブロック図等であり、（ａ）は当該ブロック図であり、（ｂ）はメモリに記憶されている内容を例示する図である。
【図５】実施例に係る情報処理を示すフローチャートである。
【図６】実施例に係るサーバ装置における表示例を示す図である。
【図７】実施例に係るセンサユニットの全体構造を示す図（Ｉ）であり、（ａ）は平面図であり、（ｂ）は正面図であり、（ｃ）は底面図であり、（ｄ）は右側面図である。
【図８】実施例に係るセンサユニットの全体構造を示す図（II）であり、（ａ）は平面斜視図であり、（ｂ）は底面斜視図である。
【図９】実施例に係るセンサユニットを構成するカバーの全体構造を示す図（Ｉ）であり、（ａ）は平面図であり、（ｂ）は正面図であり、（ｃ）は裏面図であり、（ｄ）は右側面図である。
【図１０】実施例に係るセンサユニットを構成するカバーの全体構造を示す図（II）であり、（ａ）は平面斜視図であり、（ｂ）は裏面斜視図である。
【図１１】実施例に係るセンサユニットを構成するベースの全体構造を示す図（Ｉ）であり、（ａ）は平面図であり、（ｂ）は正面図であり、（ｃ）は底面図であり、（ｄ）は右側面図である。
【図１２】実施例に係るセンサユニットを構成するベースの全体構造を示す図（II）であり、（ａ）は平面斜視図であり、（ｂ）は底面斜視図である。
【図１３】実施例に係るセンサユニットの内部構造を示す図であり、（ａ）は分解正面図であり、（ｂ）は分解右側面図であり、（ｃ）は分解斜視図である。
【図１４】第１変形例に係るセンサユニットの全体構造を示す図であり、（ａ）は分解正面図であり、（ｂ）は分解右側面図であり、（ｃ）は分解斜視図であり、（ｄ）は正面断面図である。
【図１５】第２変形例に係るセンサユニットの全体構造を示す図であり、（ａ）は分解正面図であり、（ｂ）は分解斜視図である。
【図１６】第３変形例に係るセンサユニットの全体構造を示す図であり、（ａ）は分解正面図であり、（ｂ）は分解右側面図であり、（ｃ）は分解斜視図である。
【発明を実施するための形態】
【００１０】
次に、本願を実施するための形態について図１を用いて説明する。
【００１１】
なお図１は、実施形態に係る薬剤使用状態検出装置の概要構成を示すブロック図である。
【００１２】
図１に示すように、実施形態に係る薬剤使用状態検出装置ＳＵは、回数検出手段４と、残量検出手段５と、出力手段１と、を備える。
【００１３】
この構成において、回数検出手段４は、薬剤容器における薬剤の使用操作の回数を検出する。
【００１４】
一方残量検出手段５は、上記薬剤の残量を検出する。
【００１５】
そして出力手段１は、上記検出された回数を示す回数データと、上記検出された残量を示す残量データと、を外部に出力する。
【００１６】
以上説明したように、実施形態の薬剤使用状態検出装置ＳＵの機能によれば、より簡素な構成により、薬剤容器に収容されている薬剤の使用量等の検出を行い、人的な手間を低減することができる。
【実施例】
【００１７】
次に、上述した実施形態に対応する具体的な実施例について、図２乃至図１３を用いて説明する。なお以下に説明する実施例は、病院又は医院等の医療機関における消毒薬の使用状況を監視して管理する情報処理システムに本願を適用した場合の実施例である。
【００１８】
また、図２は実施例に係る情報処理システムの概要構成を示すブロック図であり、図３は当該情報処理システムに含まれるセンサユニットの概要構成を示すブロック図等である。更に、図４は当該情報処理システムに含まれるサーバ装置の概要構成を示すブロック図等であり、図５は当該情報処理システムにおいて実行される情報処理を示すフローチャートであり、図６は実施例に係るサーバ装置における表示例を示す図である。更にまた、図７及び図８は実施例に係るセンサユニットの全体構造を示す図であり、図９及び図１０は当該センサユニットを構成するカバーの全体構造を示す図であり、図１１及び図１２は実施例に係るセンサユニットを構成するベースの全体構造を示す図であり、図１３は当該センサユニットの内部構造を示す図である。このとき、図２乃至図１３では、図１に示した実施形態に係る情報処理システムＳにおける各構成部材に対応する実施例の構成部材それぞれについて、当該情報処理システムＳにおける各構成部材と対応させた部材番号を用いている。
【００１９】
実施例に係る情報処理システムＳは、例えば、病棟、外来及び手術室等を備える総合病院等の医療機関内に設けられる。より具体的には、図２に例示するように、実施例に係る情報処理システムＳは、当該医療機関内の部署（即ち、病棟、外来、手術室等の部署）ごとの予め設定された設置位置に設けられ、且つその天面に例えばプッシュ操作による吐出式の薬剤容器Ｂが載置されるセンサユニットＳＵ１乃至センサユニットＳＵｎ（ｎは自然数）、センサユニットＳＵ１０乃至センサユニットＳＵｍ（ｍは自然数）、センサユニットＳＵ２０乃至センサユニットＳＵｘ（ｘは自然数）及びセンサユニットＳＵ３０乃至センサユニットＳＵｙ（ｙは自然数）と、中継器ＴＡ乃至中継器ＴＤと、サーバ装置ＳＶと、により構成されている。なお以下の説明において、センサユニットＳＵ１乃至センサユニットＳＵｎ、センサユニットＳＵ１０乃至センサユニットＳＵｍ、センサユニットＳＵ２０乃至センサユニットＳＵｘ及びセンサユニットＳＵ３０乃至センサユニットＳＵｙについて共通的に説明する場合、これらを纏めて単に「センサユニットＳＵ」と称する。また中継器ＴＡ乃至中継器ＴＤについて共通的に説明する場合、これらを纏めて単に「中継器Ｔ」と称する。そして、センサユニットＳＵが実施形態に係る出力装置ＳＵの一例に相当し、サーバ装置ＳＶが実施例に係るセンタ装置ＳＶの一例に相当する。そして、センサユニットＳＵが実施形態に係る薬剤使用状況検出装置ＳＵの一例に相当する。
【００２０】
以上の構成において、図２に示すように、センサユニットＳＵ１乃至センサユニットＳＵｎは、例えば外来内の受付前や廊下等に、薬剤容器Ｂがその上に載置されて設置されている。そして、同じく外来内の例えば壁や天井に設定されている中継器ＴＡと、センサユニットＳＵ１乃至センサユニットＳＵｎと、は、予め設定された無線方式（例えば、ＬＰＷＡ（Low Power Wide Area）方式）により無線接続されており、相互にデータの授受が可能となっている。また、センサユニットＳＵ１０乃至センサユニットＳＵｍは、例えば病棟一階内の各病室前やナースステーション等に、薬剤容器Ｂがその上に載置されて設置されている。そして、同じく病棟一階内の例えば壁や天井に設定されている中継器ＴＢと、センサユニットＳＵ１０乃至センサユニットＳＵｍと、も、上記無線方式により無線接続されており、相互にデータの授受が可能となっている。また、センサユニットＳＵ２０乃至センサユニットＳＵｘは、例えば病棟二階内の各病室前やナースステーション等に、薬剤容器Ｂがその上に載置されて設置されている。そして、同じく病棟二階内の例えば壁や天井に設定されている中継器ＴＣと、センサユニットＳＵ２０乃至センサユニットＳＵｘと、も、上記無線方式により無線接続されており、相互にデータの授受が可能となっている。最後に、センサユニットＳＵ３０乃至センサユニットＳＵｙは、例えば手術棟内の各手術室前等に、薬剤容器Ｂがその上に載置されて設置されている。そして、同じく手術棟内の例えば壁や天井に設定されている中継器ＴＤと、センサユニットＳＵ３０乃至センサユニットＳＵｙと、も、上記無線方式により無線接続されており、相互にデータの授受が可能となっている。一方、中継器Ｔは、例えば手指の消毒状態を管理する管理部門に設置されているサーバ装置ＳＶと例えば有線により接続されている。以上の構成により結果として、サーバ装置ＳＶと各センサユニットＳＵとは、中継器Ｔを介して必要なデータの授受が可能とされている。
【００２１】
ここで実施例においては、センサユニットＳＵとサーバ装置ＳＶとは、各センサユニットＳＵと中継器Ｔが無線により接続されており、一方中継器Ｔとサーバ装置ＳＶとは有線により接続されている。しかしながら、センサユニットＳＵとサーバ装置ＳＶの接続方式は、これに限らない。例えば、中継器Ｔとサーバ装置ＳＶの接続が無線によるものであってもよい。また、センサユニットＳＵとサーバ装置ＳＶは、中継器Ｔを経由せずに、直接、無線又は有線により接続されていてもよい。
【００２２】
次に、実施例に係るセンサユニットＳＵの電気的な構成について、図３を用いて説明する。なお図３は、実施例に係るセンサユニットＳＵの電気的な構成をブロック図等であり、当該センサユニットＳＵの（機械的な）構造自体については、後ほど図７乃至図１３を用いて説明する。
【００２３】
図３（ａ）に示すように、実施例に係るセンサユニットＳＵは、電池等のバッテリ６から供給される電源電力により駆動されるものであり、ＣＰＵ等からなる処理部１Ａと、インターフェース２と、ＲＡＭ（Random Access Memory）及びＲＯＭ（Read Only Memory）等からなるメモリ３と、タクトスイッチ等からなる回数検出スイッチ４Ａと、タクトスイッチ等からなる残量検出スイッチ５Ａと、により構成されている。また処理部１Ａは、カウンタ１Ｃを備えている。このとき、処理部１Ａが実施形態に係る出力手段１の一例並びに本願に係る「間隔制御手段」の一例及び「残量データ生成手段」の一例にそれぞれ相当し、回数検出スイッチ４Ａが実施形態に係る回数検出手段４の一例並びに本願に係る「スイッチ手段」の一例及び「第２スイッチ手段」の一例にそれぞれに相当し、カウンタ１Ｃが本願に係る「計数手段」の一例に相当し、残量検出スイッチ５Ａが実施形態に係る残量検出手段５の一例及び本願に係る「第１スイッチ手段」の一例にそれぞれ相当し、メモリ３が本願に係る「記憶手段」の一例に相当する。
【００２４】
以上の構成において、インターフェース２は、処理部１Ａの制御の下、センサユニットＳＵに接続されている中継器Ｔを介した処理部１Ａとサーバ装置ＳＶとの間のデータの授受を制御する。一方回数検出スイッチ４Ａは、センサユニットＳＵの上部に載置されている薬剤容器Ｂにおいてそれに収容されている薬剤（例えば消毒薬）を使用するための鉛直方向下向きの押下操作（即ち上記プッシュ操作）が一度実行されると、当該一度の押下操作のタイミングでオン信号を処理部１Ａに出力する。他方残量検出スイッチ５Ａは、通常はオン信号を処理部１Ａに出力し続けており、上記薬剤の使用によって薬剤容器Ｂ自体が軽くなってくると、当該薬剤容器Ｂの重量（換言すれば、薬剤容器Ｂ内に残っている薬剤の重量）が当該薬剤の補充時期（又は薬剤容器Ｂの交換時期）に対応した重量となったタイミングでオフ信号を出力する。
【００２５】
また、処理部１Ａのカウンタ１Ｃは、回数検出スイッチ４Ａから上記オン信号が出力される度にカウントアップされることでオン信号を計数し、その結果を操作回数データとしてメモリ３内に一時的に記憶させる。これと並行して処理部１Ａは、残量検出スイッチ５Ａから上記オフ信号が出力されてきたとき、当該オフ信号に対応した残量フラグを設定してメモリ３内に一時的に記憶させる。このとき上記残量検出スイッチ５Ａの機能により、上記残量フラグは、上記薬剤の使用により薬剤容器Ｂ自体が軽くなって当該薬剤が所定の重量となったことを示すフラグであることになる。より具体的には、上記残量フラグは、補充時期（又は薬剤容器Ｂの交換時期）に対応した重量となったことを示すフラグであることになる。そして、上記操作回数データ（即ち、回数検出スイッチ４Ａからのオン信号の計数結果を示すデータ）を送信するために予め設定されているタイミングである出力タイミングが到来したとき、処理部１Ａは、図３（ｂ）に示すように、当該出力タイミングにおける操作回数データｂに対して、そのセンサユニットＳＵを他のセンサユニットＳＵから識別するための識別データｉｄと、上記残量フラグが設定されている場合は当該残量フラグｆを付加し、更にこれらの前後に予め設定された型式のヘッダｈ及びフッタｅを付加した操作回数パケットＰを生成する。なお処理部１Ａは、上記操作回数パケットＰ内の各データに加えて、当該センサユニットＳＵの設置位置（換言すれば、その上部に載置されている薬剤容器Ｂが設置されている医療機関の建物内の位置又は部署（図２参照））を示す位置データｐｓを付加して当該操作回数パケットＰを生成してもよい。なお上述したように、残量フラグｆはそれがメモリ３に記憶されている場合にのみ操作回数パケットＰに含まれるが、この点を図３（ｂ）では破線で示している。また、上記操作回数パケットＰの生成のため、図３（ｃ）に示すようにメモリ３には、当該メモリ３が備えられているセンサユニットＳＵに対応する上記識別データｉｄ、上記位置データｐｓ及び上記操作回数データｂに加えて、上記出力タイミングを示す出力タイミングを示す出力タイミングデータｏｔが、不揮発性に記憶されている。
【００２６】
次に、実施例に係るサーバ装置ＳＶの電気的な概要構成について、図４を用いて説明する。
【００２７】
図４（ａ）に示すように、実施例に係るサーバ装置ＳＶは、インターフェース１０と、ＣＰＵ、ＲＡＭ及びＲＯＭ等からなる処理部１１Ａと、液晶ディスプレイ等からなるディスプレイ１２と、マウス及びキーボード等からなる操作部１３と、ＨＤＤ（Hard Disc Drive）等からなり且つ管理データＤを記憶する記憶部１４と、により構成されている。
【００２８】
以上の構成において、インターフェース１０は、処理部１１Ａの制御の下、中継器Ｔを介した処理部１１Ａと各センサユニットＳＵとの間のデータの授受を制御する。一方記憶部１４に記憶されている管理データＤには、図４（ｂ）に例示するように、サーバ装置ＳＶの管理下にあるセンサユニットＳＵごとに、それが設置されている部門データ及び位置データと、当該センサユニットＳＵから上記操作回数パケットＰとして送信されてきた上記操作回数データｂと、当該センサユニットＳＵ上に載置されている薬剤容器Ｂに収容されている薬剤の使用開始時期データ及び使用期限データと、当該センサユニットＳＵにおける薬剤についての操作回数の目標値に相当する閾値データと、当該センサユニットＳＵから上記操作回数パケットＰが出力されるべき上記出力タイミングを示す出力タイミングデータと、が含まれている。このとき当該出力タイミングデータとしては、例えば、外来に設置されているセンサユニットＳＵ１乃至センサユニットＳＵｎからの出力タイミング（例えば午前０時ごとの２４時間間隔）を基準タイミングとして、当該基準タイミングから例えば図４（ｂ）に例示するように１０秒ずつずらした出力タイミングが、それぞれ、病棟一階に設置されているセンサユニットＳＵ１０乃至センサユニットＳＵｍ、病棟二階に設置されているセンサユニットＳＵ２０乃至センサユニットＳＵｘ、及び手術棟に設置されているセンサユニットＳＵ３０乃至センサユニットＳＵｙに設定されている。
【００２９】
そして処理部１１Ａは、操作部１３において行われた例えば管理者による操作に対応した当該操作部１３からの操作信号に基づき、上記管理データＤを参照しつつ、各センサユニットＳＵから送信されてくる上記操作回数パケットＰを用いて、実施例に係る情報処理（即ち、各薬剤容器Ｂにおける薬剤の使用状態の管理処理）を実行する。
【００３０】
次に、実施例に係るサーバ装置ＳＶ及び各センサユニットＳＵを中心として実行される実施例に係る情報処理について、具体的に図５及び図６を用いて説明する。
【００３１】
初めに、実施例に係る情報処理のうち、各センサユニットＳＵにおいて実行される情報処理について、図５（ａ）を用いて説明する。
【００３２】
図５（ａ）に示すように、各センサユニットＳＵにおいて実行される情報処理は、例えば当該センサユニットＳＵの電源スイッチがオンとされたタイミングから開始される。そして、センサユニットＳＵにおいて実行される情報処理が開始されると、先ずセンサユニットＳＵの処理部１Ａは、カウンタ１Ｃを初期化する旨の初期化指示がサーバ装置ＳＶから送信されているか否かを監視する（ステップＳ１）。ステップＳ１の判定において、当該初期化指示がサーバ装置ＳＶから送信されている場合（ステップＳ１：ＹＥＳ）、処理部１Ａはカウンタ１Ｃにおける現在の計数値を初期化し（即ちゼロリセットし）（ステップＳ２）、その後後述するステップＳ３に移行する。
【００３３】
一方ステップＳ１の判定において、上記初期化指示が送信されていない場合（ステップＳ１：ＮＯ）、次に処理部１Ａは、薬剤容器Ｂにおいて上記押下操作が行われることにより回数検出スイッチ４Ａからオン信号が出力されたか否かを監視する（ステップＳ３）。ステップＳ２の監視においてオン信号が出力されない場合（ステップＳ３：ＮＯ）、処理部１Ａは後述するステップＳ５に移行する。
【００３４】
他方ステップＳ３の監視において、回数検出スイッチ４Ａからオン信号が出力された場合（ステップＳ３：ＹＥＳ）、処理部１Ａはカウンタ１Ｃを「１」だけインクリメントする（ステップＳ４）。次に処理部１Ａは、普段はオン信号を出力している残量検出スイッチ５Ａからオフ信号が出力されたか否かを監視する（ステップＳ５）。ステップＳ５の監視においてオフ信号が出力されたら（ステップＳ５：ＹＥＳ）、処理部１Ａは、メモリ３内に上記残量フラグｆを設定する（ステップＳ６）。
【００３５】
一方ステップＳ５の判定において、残量検出スイッチ５Ａからオフ信号が出力されない場合（ステップＳ５：ＮＯ）、処理部１Ａは次に、メモリ３内に出力タイミングデータｏｔとして記憶されている出力タイミングが到来したか否かを判定する（ステップＳ７）。ステップＳ７の判定において、当該出力タイミングが到来していない場合（ステップＳ７：ＮＯ）、処理部１Ａは後述するステップＳ９に移行する。
【００３６】
他方ステップＳ７の判定において、当該出力タイミングが到来している場合（ステップＳ７：ＹＥＳ）、処理部１Ａは、その時点でのカウンタ１Ｃの計数値を操作回数データｂとして含み、これに加えて上記識別データｉｄ及び位置データｐｓと、設定されている場合の残量フラグｆと、を含む上記操作回数パケットＰを生成し、それを中継器Ｔを介してサーバ装置ＳＶに送信する（ステップＳ８）。
【００３７】
次に処理部１Ａは、メモリ３に記憶されている出力タイミングデータｏｔや識別データｉｄ等を更新するための更新用データがサーバ装置ＳＶから送信されて来たか否かを監視する（ステップＳ９）。ステップＳ９の監視において当該更新用データが送信されていない場合（ステップＳ９：ＮＯ）、処理部１Ａは、後述するステップＳ１１に移行する。一方ステップＳ９の監視において当該更新用データが送信されてきた場合（ステップＳ９：ＹＥＳ）、処理部１Ａは、当該更新用データを用いて出力タイミングデータｏｔ等を更新する（ステップＳ１０）。その後処理部１Ａは、例えばセンサユニットＳＵの電源スイッチがオフとされた等の理由により実施例に係るセンサユニットＳＵにおいて実行される情報処理を終了するか否かを判定する（ステップＳ１１）。ステップＳ１１の判定において、当該情報処理を継続する場合（ステップＳ１１：ＮＯ）、処理部１Ａは上述したステップＳ１に戻って、上述してきた処理を繰り返す。
【００３８】
他方ステップＳ１１の判定において、当該情報処理を終了する場合（ステップＳ１１：ＹＥＳ）、処理部１Ａはそのまま当該処理を終了する。
【００３９】
次に、実施例に係る情報処理のうち、サーバ装置ＳＶにおいて実行される情報処理について、図５（ｂ）を用いて説明する。
【００４０】
図５（ｂ）に示すように、サーバ装置ＳＶにおいて実行される情報処理は、例えば当該サーバ装置ＳＶの電源スイッチがオンとされたタイミングから開始される。そして、サーバ装置ＳＶにおいて実行される情報処理が開始されると、先ずサーバ装置ＳＶの処理部１１Ａは、いずれかのセンサユニットＳＵから操作回数パケットＰが送信されてきたか否かを監視する（図５（ａ）ステップＳ１参照。ステップＳ１５）。ステップＳ１５の判定において、いずれのセンサユニットＳＵからも操作回数パケットＰが送信されてこない場合（ステップＳ１５：ＮＯ）、処理部１１Ａは後述するステップＳ２３に移行する。
【００４１】
一方ステップＳ１５の監視において、いずれかのセンサユニットＳＵから操作回数パケットＰが送信されてきた場合（ステップＳ１５：ＹＥＳ）、処理部１１Ａは、当該送信されてきた操作回数パケットＰ内の操作回数データｂを記憶部１４の管理データＤ内に記憶させると共に、当該操作回数データｂを用いてディスプレイ１２上の表示を更新する（ステップＳ１６）。
【００４２】
ここで、ディスプレイ１２上には、例えば図６（ａ）に例示するように、例えば病棟一階の病室やナースステーション等の配置を示すマップＭと共に、当該マップＭにおける各薬剤容器Ｂの設置位置に対応した表示位置に、その薬剤容器Ｂを載置しているセンサユニットＳＵから送信されてくる操作回数パケットＰに含まれている操作回数データｂの値が、操作回数表示２０乃至操作回数表示２９として表示される。そして上記ステップＳ１６では、当該操作回数表示２０乃至操作回数表示２９のうち、その時に操作回数パケットＰを送信してきた（上記ステップＳ１５参照）センサユニットＳＵに対応する操作回数表示が更新される（ステップＳ１６）。なお操作回数表示は、センサユニットＳＵから送信されてくる操作回数パケットＰに含まれている操作回数データｂの値（換言すると、送信間隔ごとの操作回数）の表示に限られない。例えば、１日、１週間又は１ヶ月などの所定間隔ごと、或いは、前回の計数値を初期化した時から当該操作回数パケットＰが送信されてきたタイミングまでの累積値を表示するように構成してもよい。
【００４３】
次に処理部１１Ａは、ステップＳ１５において受信した操作回数パケットＰに含まれていた操作回数データｂの値が、当該操作回数パケットＰを送信してきたセンサユニットＳＵに載置されている薬剤容器Ｂについて設定されている目標値（図４に示す閾値データ参照）に到達しているか否かを判定する（ステップＳ１７）。ステップＳ１７の判定において、当該目標値に到達していない場合（ステップＳ１７：ＮＯ）、処理部１１Ａは後述するステップＳ１９に移行する。
【００４４】
一方ステップＳ１７の判定において、ステップＳ１５において受信した操作回数パケットＰに含まれていた操作回数データｂの値が対応する目標値に到達している場合（ステップＳ１７：ＹＥＳ）、処理部１１Ａは次に、当該目標値に到達した操作回数データｂを送信してきたセンサユニットＳＵに対応する操作回数表示の表示態様を、他の操作回数表示とは異なる表示態様に更新する（ステップＳ１８）。この場合、例えば図６（ａ）に例示する操作回数表示２２のように、他の操作回数表示２０等とは異なる表示態様に更新される。
【００４５】
次に処理部１１Ａは、ステップＳ１５において受信した操作回数パケットＰに残量フラグｆが含まれているか否か、即ち、当該残量フラグｆを送信してきたセンサユニットＳＵに載置されている薬剤容器Ｂ内の薬剤の補充時期（又は薬剤容器Ｂの交換時期）が到来しているか否かを判定する（ステップＳ１９）。ステップＳ１９の判定において残量フラグｆが含まれていない場合（ステップＳ１９：ＮＯ）、当該補充時期又は交換時期ではないとして、処理部１１Ａは後述するステップＳ２１に移行する。
【００４６】
一方ステップＳ１９の判定において当該残量フラグｆが含まれている場合（ステップＳ１９：ＹＥＳ）、処理部１１Ａは、当該残量フラグｆを含む操作回数パケットＰを送信してきたセンサユニットＳＵに対応する操作回数表示において、例えば図６（ｂ）に例示するように、注意喚起表示ＳＢを行う（ステップＳ２０）。この場合の注意喚起表示ＳＢとしては、例えば記憶部１４に記憶されている管理データＤを参照した使用期限が含まれていると共に、残量フラグｆに対応する残量（即ち、薬剤の補充時期又は薬剤容器Ｂの交換時期に相当する残量）が表示されることが好ましい。なおこの残量は、操作回数に一回の押下操作当たりの使用予測量を乗じた値を使用開始時又は補充直後の薬剤の量から差し引くことで、薬剤の補充時期又は薬剤容器Ｂの交換時期に相当する残量より多い残量を、処理部１１Ａによる計算上で算出して表示するように構成してもよい。
【００４７】
次に処理部１１Ａは、例えば操作部１３においていずれかのセンサユニットＳＵにおける上記出力タイミングデータｏｔや識別データｉｄ等を更新すべき旨の操作が行われたか否かを判定する（ステップＳ２１）。ステップＳ２１の判定において、当該更新すべき旨の操作が行われていない場合（ステップＳ２１：ＮＯ）、処理部１１Ａは後述するステップＳ２３に移行する。
【００４８】
一方ステップＳ２１の判定において、当該更新すべき旨の操作が行われた場合（ステップＳ２１：ＹＥＳ）、処理部１１Ａは、当該操作に対応する上記更新用データを生成し、当該生成された更新用データを、当該更新の対象たるセンサユニットＳＵに宛てて送信する（ステップＳ２２。図５（ａ）ステップＳ９参照）。なおこの更新用データと合わせて上記初期化指示を送信してもよい。また当該初期化指示は、更新用データとは無関係に、任意のタイミングで送信してもよい。
【００４９】
その後処理部１１Ａは、例えばサーバ装置ＳＶの電源スイッチがオフとされた等の理由により実施例に係るサーバ装置ＳＶにおいて実行される情報処理を終了するか否かを判定する（ステップＳ２３）。ステップＳ２３の判定において、当該情報処理を継続する場合（ステップＳ２３：ＮＯ）、処理部１１Ａは上述したステップＳ１５に戻って、上述してきた処理を繰り返す。
【００５０】
他方ステップＳ２３の判定において、当該情報処理を終了する場合（ステップＳ２３：ＹＥＳ）、処理部１１Ａはそのまま当該処理を終了する。
【００５１】
次に、図３（ａ）に示す電気的な構成を備える実施例に係るセンサユニットＳＵの構造について、具体的に図７乃至図１３を用いて説明する。
【００５２】
初めに、実施例に係るセンサユニットＳＵの全体構造について、図７及び図８を用いて説明する。
【００５３】
図７（ａ）にその平面図を、図７（ｂ）にその正面図を、図７（ｃ）にその底面図を、図７（ｄ）にその右側面図をそれぞれ示し、更に図８（ａ）にその平面斜視図を、図８（ｂ）にその底面斜視図をそれぞれ示すように、実施例に係るセンサユニットＳＵは、その設置場所への固定用の溝Ｒ１及び溝Ｒ２が底面に形成されたベースＢＳに対して、図７及び図８において図示しないバネにより図７に示す摺動方向に付勢されたカバーＣＶが被せられた構造を有している。このカバーＣＶが本願に係る「載置台」の一例に相当する。そして、当該センサユニットＳＵに載置される薬剤容器Ｂは、カバーＣＶの天面（上面）に形成された凹部ＢＰに嵌め込まれて固定される。この状態で当該薬剤容器Ｂにおいて上記押下操作が行われると、カバーＣＶが反対方向（図７（ｂ）における上方向）に上記バネで付勢されつつ押し下げられ、これにより上記回数検出スイッチ４Ａから上記オン信号が出力される。なお、ベースＢＳに対するカバーＣＶの摺動をスムーズにすると共にカバーＣＶがベースＢＳに対して斜めに摺動することを防止する目的で、ベースＢＳの四隅（角部）には、表面が半円筒状に形成されたガイド部材Ｇ１乃至ガイド部材Ｇ４が形成されている。このガイド部材Ｇ１乃至ガイド部材Ｇ４が本願に係る「ガイド部材」の一例に相当する。
【００５４】
次に、実施例に係るセンサユニットＳＵの上記カバーＣＶについて、その構造を図９及び図１０を用いて説明する。
【００５５】
図９（ａ）にその平面図を、図９（ｂ）にその正面図を、図９（ｃ）にその裏面図を、図９（ｄ）はその右側面図をそれぞれ示し、更に図１０（ａ）にその平面斜視図を、図１０（ｂ）はその裏面斜視図をそれぞれ示すように、実施例に係るセンサユニットＳＵの上記カバーＣＶは、その天面（上面）に薬剤容器Ｂの固定用の上記凹部ＢＰが形成されており、更に上記押下操作時にベースＢＳの溝Ｒ１及び溝Ｒ２に重なることとなる裾の部分には、当該溝Ｒ１及び溝Ｒ２に対向する位置に、切り欠きＲＣ１乃至切り欠きＲＣ４が形成されている。また、カバーＣＶの裏面には、カバーＣＶの摺動を付勢する上記バネが通されるカバー側バネ軸ＪＣ１及びカバー側バネ軸ＪＣ２が上記摺動方向に略平行に形成されている。なお、これらカバー側バネ軸ＪＣ１及びカバー側バネ軸ＪＣ２の高さは、過度な押下操作によりカバーＣＶが鉛直方向下向きに下がり過ぎることによる回数検出スイッチ４Ａ及び残量検出スイッチ５Ａの破損を防止すべく、当該カバーＣＶの下がり過ぎを防止する高さとされている。
【００５６】
次に、実施例に係るセンサユニットＳＵの上記ベースＢＳについて、その構造を図１１及び図１２を用いて説明する。
【００５７】
図１１（ａ）にその平面図を、図１１（ｂ）にその正面図を、図１１（ｃ）にその底面図を、図１１（ｄ）はその右側面図をそれぞれ示し、更に図１２（ａ）にその平面斜視図を、図１２（ｂ）はその裏面斜視図をそれぞれ示すように、実施例に係るセンサユニットＳＵの上記ベースＢＳは、その底面に固定用の上記溝Ｒ１及び溝Ｒ２が形成されており、更にその四隅（角部）には、それぞれ上記ガイド部材Ｇ１乃至ガイド部材Ｇ４が形成されている。また、ベースＢＳの上面には、上記バネが通されるベース側バネ軸ＪＢ１及びベース側バネ軸ＪＢ２が上記摺動方向に略平行に形成されている。このベース側バネ軸ＪＢ１及びベース側バネ軸ＪＢ２が本願に係る「規制部材」の一例に相当する。
【００５８】
次に、実施例に係るセンサユニットＳＵの内部構造について、図１３を用いて説明する。なお図１３では、説明の都合上、カバーＣＶの裾部とベースＢＳの各ガイド部材Ｇ１乃至ガイド部材Ｇ４の記載を省略している。
【００５９】
図１３（ａ）にその分解正面図を、図１３（ｂ）にその分解右側面図を、図１３（ｃ）にその分解斜視図をそれぞれ示すように、実施例に係るセンサユニットＳＵでは、図１３において図示しない薬剤容器Ｂを載置するカバーＣＶの裏面に形成された上記カバー側バネ軸ＪＣ１及びカバー側バネ軸ＪＣ２が、それぞれ、ベース側バネ軸ＪＢ１及びベース側バネ軸ＪＢ２に被さるようにカバーＣＶとベースＢＳとが嵌合される。このとき、付勢用のバネＳＰ１及びバネＳＰ２が間に挟まれることで、薬剤容器Ｂにおいて上記押下操作が行われてカバーＣＶ自体が鉛直方向下向きに押し下げられても、当該押下操作が終了した後は、バネＳＰ１及びバネＳＰ２の付勢力によりカバーＣＶが元の位置に戻ることになる。
【００６０】
一方、センサユニットＳＵの内部では、図１３に示すように二枚の基板ＢＤ１及び基板ＢＤ２がバネＳＰ１０乃至バネＳＰ１３をその四隅（角部）にそれぞれ挟むようにして積層されている。このとき、図３に示す処理部１Ａ、インターフェース２及びメモリ３は、基板ＢＤ１又は基板ＢＤ２のいずれかまたは双方に分けて固定されている。そして、タクトスイッチ等からなる回数検出スイッチ４Ａが下側の基板ＢＤ１上に、同じくタクトスイッチ等からなる残量検出スイッチ５Ａが上側の基板ＢＤ２上に、それぞれ固定されている。このとき、残量検出スイッチ５ＡのベースＢＳを基準とした高さが、薬剤容器Ｂにおける薬剤の量が十分である場合にその重量で鉛直方向下向きに下がってくるカバーＣＶの裏面で当該残量検出スイッチ５Ａが押され続けることにより残量検出スイッチ５Ａからオン信号が連続して出力されると共に、薬剤の残量が減って上記残量フラグｆが設定される程度に薬剤容器Ｂが軽くなることでバネＳＰ１及びバネＳＰ２の付勢力により鉛直方向上向きにカバーＣＶが持ち上げられたときには、当該残量検出スイッチ５Ａからオフ信号が出力される当該残量検出スイッチ５Ａの高さとなるように、バネＳＰ１０乃至バネＳＰ１３それぞれの長さ及び付勢力が設定されている。また、薬剤容器Ｂにおける押下操作が行われたときには、当該押下操作によりカバーＣＶ及び基板ＢＤ２が鉛直方向下向きに下がることで回数検出スイッチ４Ａからオン信号が出力され、これにより、薬剤容器Ｂとしての上記操作回数がカウンタ１Ｃにより計数される。なお、回数検出スイッチ４Ａからオン信号が出力されたこと（即ち、上記押下操作が行われたこと）を視覚的に示すインジケータＬが回数検出スイッチ４Ａの脇の基板ＢＤ１上に固定されており、このインジケータＬの例えば点滅により、押下操作の実行が外部から確認可能となる。
【００６１】
以上説明したように、実施例に係る情報処理システムＳにおける情報処理及びセンサユニットＳＵの構成によれば、より簡素な構成により、消毒薬の使用量等の検出を行い、人的な手間を低減することができる。
【００６２】
また、操作回数パケットＰの送信間隔が制御可能であるので、センサユニットＳＵとしての消費電力を低減することができる。
【００６３】
更に、回数検出スイッチ４Ａとカウンタ１Ｃを備えるので、安価且つ簡易な構成で消毒薬の使用操作の回数を検出することができる。
【００６４】
更にまた、回数検出スイッチ４Ａ及び処理部１等により押下回数検出機能を実現するので（図１３参照）、簡易且つ安価な構成で、確実且つ正確に操作回数データ及び残量フラグｆを設定等することができる。
【００６５】
また、メモリ３を備えるので、より正確に操作回数を計数することができる。
【００６６】
更にまた、カバーＣＶの鉛直方向の摺動をガイドするガイド部材Ｇ１乃至ガイド部材Ｇ４を備えるので、当該摺動をスムーズにして押下操作の回数を正確に計数させることができる。
【００６７】
また、カバー側バネ軸ＪＣ１及びカバー側バネ軸ＪＣ２によりカバーＣＶの摺動範囲の鉛直方向下限を規制するので、回数検出スイッチ４Ａ等を保護することができる。
【００６８】
[変形例]
次に、上述した実施形態に対応する変形例について、図１４乃至図１６を用いて説明する。なお以下に説明する変形例において、実施例に係るセンサユニットＳＵと同様の構成部材については、同様の部材番号を付して細部の説明は省略する。
【００６９】
（１）第１変形例
先ず第１変形例として、上述した実施例では、残量検出スイッチ５Ａを用いて残量フラグｆの設定を行ったが、以下に説明する第１変形例では、異なる方法で残量フラグｆの設定を行う。
【００７０】
即ち、図１４（ａ）にその分解正面図を、図１４（ｂ）にその分解右側面図を、図１４（ｃ）にその分解斜視図を、図１４（ｄ）にその正面断面図をそれぞれ示すように、第１変形例に係るセンサユニットの内部では、基板ＢＤ１は一枚のみであり、その上面に回数検出スイッチ４Ａが、その下面に残量検出スイッチ５Ａが、それぞれ固定されている。そして、Ｌ字型の板状の残量検出部材２０がカバーＣＶの裏面から下方に延在されており、カバーＣＶとベースＢＳとが嵌合された状態では、図１４（ｄ）に示すように、残量検出部材２０の先端が鉛直方向下向きに向けられた残量検出スイッチ５Ａに対向する位置となるように構成されている。そして、残量検出部材２０の先端とカバーＣＶの裏面との距離が、薬剤容器Ｂにおける薬剤の量が十分である場合はその重量で鉛直方向下向きに下がってくるカバーＣＶの動きにより残量検出スイッチ５Ａはオフとされ、薬剤の残量が減って残量フラグｆが設定される程度に薬剤容器Ｂが軽くなることでバネＳＰ１及びバネＳＰ２の付勢力により鉛直方向上向きにカバーＣＶが持ち上げられたときには、当該残量検出部材２０の先端の接触により残量検出スイッチ５Ａからオン信号が出力される当該距離となるように設定されている。即ち、第１変形例では、実施例と異なり、残量検出スイッチ５Ａからオン信号が出力されたタイミングで残量フラグｆが設定されることとなる。また、薬剤容器Ｂにおける押下操作が行われたときには、当該押下操作によりカバーＣＶが鉛直方向下向きに下がることで回数検出スイッチ４Ａからオン信号が出力され、これにより、薬剤容器Ｂとしての上記操作回数がカウンタ１Ｃにより計数される。
【００７１】
以上説明したように、第１変形例に係るセンサユニットの構成によれば、残量検出スイッチ５Ａと残量検出部材２０を用いて残量を検出すると共に、回数検出スイッチ４Ａ等により操作回数を検出するので、確実且つ正確に回数データ及び残量データを生成して出力することができる。
【００７２】
（２）第２変形例
次に第２変形例として、上述した実施例では、残量検出スイッチ５Ａを用いて残量フラグｆの設定を行ったが、以下に説明する第２変形例では、非接触型の距離センサにより残量フラグｆの設定を行う。
【００７３】
即ち、図１５（ａ）にその分解正面図を、図１５（ｂ）にその分解斜視図をそれぞれ示すように、第２変形例に係るセンサユニットの内部では、基板ＢＤ１は一枚のみであり、その上面に、回数検出スイッチ４Ａと、例えば光学式又は超音波式の距離センサＬＬと、がそれぞれ固定されている。なお第２変形例では上記残量検出スイッチ５Ａは用いられない。そして、距離センサＬＬによりカバーＣＶの裏面までの距離を直接検出することで、薬剤容器Ｂ内の薬剤の残量が減って残量フラグｆが設定される程度に薬剤容器Ｂが軽くなることでバネＳＰ１及びバネＳＰ２の付勢力により鉛直方向上向きにカバーＣＶが持ち上げられたことを検出する。そして、当該距離センサＬＬの検出結果により、残量フラグｆが設定されるべきタイミングが計られることになる。なお、薬剤容器Ｂにおける押下操作が行われたときには、当該押下操作によりカバーＣＶが鉛直方向下向きに下がることで回数検出スイッチ４Ａからオン信号が出力され、これにより、薬剤容器Ｂとしての上記操作回数がカウンタ１Ｃにより計数される。本第２変形例において、距離センサＬＬは、残量を連続的に計量できる。そして操作回数データｂの出力と同じタイミングに残量を出力することで、管理者は薬剤の補充時期を予測することができる。
【００７４】
以上説明したように、第２変形例に係るセンサユニットの構成によれば、距離センサＬＬを用いて残量を検出するので、簡易且つ安価な構成で、確実且つ正確に操作回数データ及び残量フラグｆ等を生成して出力することができる。
【００７５】
（３）第３変形例
次に第３変形例として、上述した実施例では、残量検出スイッチ５Ａを用いて残量フラグｆの設定を行ったが、以下に説明する第３変形例では、センサユニットＳＵ自体では残量フラグｆの設定を行わず、操作回数データｂを取得したサーバ装置ＳＶにおいて、一回の押下操作による使用量と当該操作回数とを乗じることで薬剤の残量を算出する。
【００７６】
即ち、図１６（ａ）にその分解正面図を、図１６（ｂ）にその分解右側面図を、図１６（ｃ）にその分解斜視図をそれぞれ示すように、第３変形例に係るセンサユニットの内部では、基板ＢＤ１は一枚のみであり、その上面に、回数検出スイッチ４Ａのみが固定されている。なお第３変形例では、上記残量検出スイッチ等を用いたセンサユニットでの残量の検出は行われない。そして、薬剤容器Ｂにおける押下操作が行われたときには、当該押下操作によりカバーＣＶが鉛直方向下向きに下がることで回数検出スイッチ４Ａからオン信号が出力され、これにより、薬剤容器Ｂとしての上記操作回数がカウンタ１Ｃにより計数される。
【００７７】
（４）その他の変形例
最後にその他の変形例として、操作回数パケットＰの送信間隔として予め定められた送信間隔の間に薬剤容器Ｂにおける押下操作が一度も行われなかった場合には、当該送信間隔が経過したとしても操作回数パケットＰを送信しないように構成してもよい。この場合には、センサユニットＳＵにおける電力消費を更に抑制することができる。
【００７８】
また、上述した実施例及び各変形例は、薬剤としての消毒液を収容する薬剤容器Ｂにおける使用状況を管理する場合の本願を適用したが、これ以外に、例えば石鹸等の液体を収容する薬剤容器における使用状況を管理する場合の本願を適用してもよい。
【００７９】
更に、図５にそれぞれ示したフローチャートに相当するプログラムを、光ディスク又はハードディスク等の記録媒体に記録しておき、或いはインターネット等のネットワークを介して取得しておき、これらを汎用のマイクロコンピュータ等に読み出して実行することにより、当該マイクロコンピュータ等を、実施例に係る処理部１Ａ又は処理部１１Ａとして機能させることも可能である。
【符号の説明】
【００８０】
１    出力手段（処理部）
１Ａ、１１Ａ    処理部
１Ｃ    カウンタ
４    回数検出手段
４Ａ    回数検出スイッチ
５    残量検出手段
５Ａ    残量検出スイッチ
ＳＵ    出力装置
ＳＶ    センタ装置（サーバ装置）
【図１】
2020026984.tif 000003
【図２】
2020026984.tif 000004
【図３】
2020026984.tif 000005
【図４】
2020026984.tif 000006
【図５】
2020026984.tif 000007
【図６】
2020026984.tif 000008
【図７】
2020026984.tif 000009
【図８】
2020026984.tif 000010
【図９】
2020026984.tif 000011
【図１０】
2020026984.tif 000012
【図１１】
2020026984.tif 000013
【図１２】
2020026984.tif 000014
【図１３】
2020026984.tif 000015
【図１４】
2020026984.tif 000016
【図１５】
2020026984.tif 000017
【図１６】
2020026984.tif 000018